(57)【要約】      （修正有）【課題】表面に貼付されるラベルシートを剥がれにくくすることのできるディスク状記録媒体を提供する。【解決手段】ラベルシート５が貼付される記録媒体１のレーベル面４に、その外周縁に沿って、レーベル面４の表面から突出する突条部４１を設ける。前記突条部には、当該突条部の内側に貼付された前記ラベルシートの上面を少なくとも一箇所において覆う爪部が設けられ、前記表面から前記突条部の上面までの突出高さは、前記ラベルシートの厚みと略同一であることを特徴とする。【選択図】図１
2008071446.tif 000002
【特許請求の範囲】
【請求項１】
ラベルシートが表面に貼付されるレーベル面と、
前記レーベル面の外周縁に沿って、前記レーベル面の表面から突出する突条部と、
を備えたことを特徴とする記録媒体。
【請求項２】
請求項１記載の記録媒体において、
前記突条部には、当該突条部の内側に貼付された前記ラベルシートの上面を少なくとも一箇所において覆う爪部が設けられること、
を特徴とする記録媒体。
【請求項３】
請求項１または２記載の記録媒体において、
前記表面から前記突条部の上面までの突出高さは、前記ラベルシートの厚みと略同一であること、
を特徴とする記録媒体。
【請求項４】
ラベルシートが表面に貼付されるレーベル面と、
前記レーベル面に前記ラベルシートの形状と略同一の形状を有する凹部と、
を備えたことを特徴とする記録媒体。
【請求項５】
請求項４記載の記録媒体において、
前記凹部の縁には、当該凹部の内側に貼付された前記ラベルシートの上面を少なくとも一箇所において覆う爪部が設けられること、
を特徴とする記録媒体。
【請求項６】
請求項４または５記載の記録媒体において、
前記凹部の深さは、前記ラベルシートの厚みと略同一であること、
を特徴とする記録媒体。
【発明の詳細な説明】
【技術分野】
【０００１】
本発明は、ＣＤ（Compact Disc)、ＤＶＤ（Digital Versatile Disc）、ブルーレイ（Blu-ray）ディスク（登録商標）、ＨＤ  ＤＶＤ（High Definition DVD)（登録商標）等のディスク状の記録媒体に関する。
【背景技術】
【０００２】
従来、ＣＤ（ＣＤ−ＤＡ（Digital Audio）、ＣＤ−ＲＯＭ、ＣＤ−Ｒ（Recordable）、ＣＤ−ＲＷ（ReWritable）等を含む）、ＤＶＤ（ＤＶＤ−Ｒ、ＤＶＤ−ＲＷ、ＤＶＤ−ＲＡＭ、ＤＶＤ＋ＲＷ等を含む）、ブルーレイディスク（登録商標）、ＨＤ  ＤＶＤ（登録商標）等の記録媒体（ディスク）が知られている。特に、ユーザによりデータの記録が可能なタイプの光記録媒体はデータ容量が大きく、画像データや音楽データのようにファイルサイズの大きなデジタルデータを簡単且つ安価に保存することができるため、多くのユーザにより利用されている。ユーザによりデータの記録が可能なディスクの中には、例えば、図４に示すように、レーベル面６１に印刷用のラベルシート６２が貼付され、インクジェットプリンタなどを用いてこの印刷用のラベルシート６２に記録したデータの内容等を印刷することができるようにしたものがある（例えば、特許文献１参照）。
【０００３】
また、これらの記録媒体に対してデータの記録又は再生を行うディスクドライブの中には、スロットイン方式により記録媒体をディスクドライブの中に挿入するようにしたものがある。スロットイン方式のディスクドライブでは、ディスクトレイを用いずに、挿入口に差し込まれた記録媒体を装置内部にローディング機構により搬入（ロード）、搬出（アンロード）するようになっている。このようなローディング機構では、一般に、記録媒体の外周縁をクランプするアームを備え、このアームにより記録媒体の外周縁を支持して装置内部に搬入または、装置内部から挿入口に向けて搬出するようになっている。
【特許文献１】特開２００２−３４７４７６号公報
【発明の開示】
【発明が解決しようとする課題】
【０００４】
しかしながら、図４に例示するように、レーベル面６１にラベルシート６２が貼付された記録媒体６３をスロットイン方式のディスクドライブの挿入口６４に差し込む際、あるいは挿入口６４から排出させる際に、挿入口６４に対して平行に記録媒体６３を挿入あるいは排出させることができればよいが、挿入口６４に対して記録媒体６３が斜めに挿入あるいは排出されることが多い。挿入口６４に対して斜めに記録媒体６３が挿入あるいは排出されると、ラベルシート６２の端部が挿入口６４や挿入口６４の内部において壁面等と接触する場合がある。また、アームにより記録媒体６３の外周縁がクランプされる際に、アームとラベルシート５の端部とが接触する場合がある。このため、ロード、アンロードを繰り返し行うことにより、ラベルシート６２が記録媒体６３のレーベル面６１から剥がれやすくなる可能性があった。
本発明の課題は、表面に貼付されるラベルシートを剥がれにくくすることのできる記録媒体を提供することにある。
【課題を解決するための手段】
【０００５】
上記課題を解決するため、本発明の記録媒体は、ラベルシートが表面に貼付されるレーベル面と、前記レーベル面の外周縁に沿って、前記レーベル面の表面から突出する突条部と、を備えたことを特徴とする。
上記構成によれば、記録媒体には、レーベル面の外周縁に沿って、レーベル面の表面から突出する突条部が設けられているので、突条部の内側をラベルシートの貼付位置（ラベル貼付位置）とすることができる。そして、ラベルシートを突条部の内側に貼付することにより、スロットイン方式のディスクドライブに記録媒体をロードまたはアンロードさせた場合でも、ラベルシートの端部が突条部により保護されて挿入口等に接触することを防止して、記録媒体の表面に貼付されたラベルシートを剥がれにくくすることができる。
【０００６】
上記構成の記録媒体において、前記突条部には、当該突条部の内側に貼付されたラベルシートの上面を少なくとも一箇所において覆う爪部が設けられることが好ましい。
この構成によれば、爪部により、突条部の内側に貼付されたラベルシートの上面を少なくとも一箇所において覆うことができるので、ラベルシートの接着力が低下した場合等にラベルシートがレーベル面の表面から剥がれてきた場合も、爪部によりこの浮き上がりを防止して、浮き上がったラベルシートがディスクドライブの挿入口等に接触してラベルシートが更に剥がれることを防止することができる。
【０００７】
また、上記構成の記録媒体において、前記表面から前記突条部の上面までの突出高さは、前記ラベルシートの厚みと略同一であることが好ましい。
この構成によれば、突条部の突出高さはラベルシートの厚みと略同一であるので、スロットイン方式のディスクドライブに記録媒体をロードまたはアンロードさせた場合でも、ラベルシートの端部が突条部により保護されて記録媒体が挿入口等に直接接触することをより完全に防止することができ、記録媒体の表面に貼付されたラベルシートを剥がれにくくすることができる。
【０００８】
また、本発明の記録媒体は、ラベルシートが表面に貼付されるレーベル面と、前記レーベル面に前記ラベルシートの形状と略同一の形状を有する凹部と、を備えたことを特徴とする。
この構成によれば、ラベルシートが貼付されるレーベル面には、貼付されるラベルシートの形状と略同一の形状を有する凹部を備えているので、凹部の内側をラベルシートの貼付位置としてラベルシートを貼付することができる。このため、スロットイン方式のディスクドライブに記録媒体をロードまたはアンロードさせた場合でも、ラベルシートの端部が挿入口等に直接接触することを防止して、記録媒体の表面に貼付されたラベルシートを剥がれにくくすることができる。
【０００９】
上記構成の記録媒体において、前記凹部の縁には、当該凹部の内側に貼付された前記ラベルシートの上面を少なくとも一箇所において覆う爪部が設けられることが好ましい。
この構成によれば、爪部により凹部の内側に貼付されたラベルシートが接着力の低下等により剥がれてきた場合も、爪部によりこの浮き上がりを防止して、浮き上がったラベルシートがディスクドライブの挿入口等に接触してラベルシートが更に剥がれることを防止することができる。
【００１０】
また、上記構成の記録媒体において、前記凹部の深さは、前記ラベルシートの厚みと略同一であることが好ましい。
この構成によれば、凹部の深さはラベルシートの厚みと略同一であるので、スロットイン方式のディスクドライブに記録媒体をロードまたはアンロードさせた場合でも、ラベルシートの端部が挿入口等に直接接触することをより完全に防止することができ、記録媒体の表面に貼付されたラベルシートを剥がれにくくすることができる。
【発明の効果】
【００１１】
本発明によれば、記録媒体の表面に貼付されるラベルシートの端部が記録媒体の挿入口等に接触することが防止されているため、記録媒体の表面に貼付されたラベルシートを剥がれにくくすることができる。
【発明を実施するための最良の形態】
【００１２】
以下、図面を参照して本発明の実施の形態を説明する。
本実施の形態では、本発明に係る記録媒体としてレーザービームによりデータの記録又は再生が行われる光記録媒体１を例に挙げて説明する。図１（ａ）および（ｂ）に示す光記録媒体１は、例えば、外径Ｒが約１２０ｍｍ、厚みが約１．２ｍｍの円盤状に形成されたＣＤ、ＤＶＤ、ブルーレイディスク等であり、光記録媒体１の種類については特に限定されない。なお、光記録媒体１の中心には約１５ｍｍのセンターホール２が設けられている。
【００１３】
光記録媒体１は、データの記録／再生時にレーザービームが照射される光入射面３を有し、光入射面３の裏面はラベル等が設けられるレーベル面４となっている。
ここで、光記録媒体１がＣＤやＤＶＤの場合、光入射面３に入射されるレーザービームとして、波長が約７８０ｎｍの赤色レーザが用いられる。一方、光記録媒体１がブルーレイディスクやＨＤ  ＤＶＤの場合、光入射面３に入射されるレーザービームとして、波長が約４０５ｎｍの青紫色レーザが用いられる。
光入射面３は、例えば、ポリカーボネート樹脂基板等の透明プラスチック基板等により構成される。但し、光記録媒体１本体の構成は、ＣＤ、ＤＶＤ、ブルーレイディスク、ＨＤ  ＤＶＤ等の各規格に沿った構成とすることができ、ここでは光記録媒体１本体の構成についての詳細は省略する。
【００１４】
レーベル面４には、ユーザがインクジェットプリンタ等を用いて所望の画像や文字等を印刷することのできるラベルシート５が貼付されている。ラベルシート５は、光記録媒体１と略同一の外径を有する円盤状の形状を呈し、光記録媒体１の中心位置に設けられたセンターホール２の部分にセンターホール２よりも大きな径を有する孔５１が形成されている。このようなラベルシート５として、例えば、紙製またはプラスチックフィルム製の基材の表面にインクジェット記録用の受容層を有し、裏面に感圧接着層を有するものを例に挙げることができる。ラベルシート５は、例えば、０．０５ｍｍ〜０．２ｍｍ程度の厚みのものが好適に用いられる。
【００１５】
レーベル面４には、外周縁に沿ってレーベル面４の表面から突出する突条部４１が設けられている。突条部４１は、例えば、レーベル面４を構成する光記録媒体１の保護層あるいは基板を構成するプラスチック材料等によりレーベル面４と一体的に構成することができる。言い換えれば、レーベル面４にはラベルシート５を貼付するためのラベル貼付位置としての凹部がこの突条部４１により形成されている。
【００１６】
レーベル面４の表面から突条部４１の上面までの突出高さｈは、ラベルシート５の厚みと略同一であることが好ましい。また、ラベルシート５の厚みよりも高く構成されてもよい。突条部４１の突出高さｈをラベルシート５の厚みと略同一以上の高さとすることで、ラベルシート５の端部がディスクドライブの挿入口等に直接接触することをより完全に防止することができ、光記録媒体１のレーベル面４の表面に貼付されたラベルシート５を剥がれにくくすることができる。
【００１７】
また、図１（ａ）、（ｂ）に示すように、突条部４１には、ラベルシート５の上面を少なくとも一箇所において覆う爪部４２が設けられている。この爪部４２は、突条部４１の上面において光記録媒体１の外周縁側から中心側に向かって突出するように設けられている。爪部４２の下面とラベルシート５の上面との間は間隙が設けられていてもよいし、爪部４２の下面とラベルシート５の上面とが接触していてもよい。このように、爪部４２を設けることで、突条部４１の内側に貼付されたラベルシート５を少なくとも一箇所において被覆することができるので、ラベルシート５の感圧接着層における接着力が低下し、ラベルシート５の端部が剥がれてきた場合でも、ラベルシート５の浮き上がりを防止して、剥がれた端部が挿入口等に接触してラベルシート５がレーベル面４から更に剥がれることを防止することができる。
【００１８】
また、図２に示すように、図１に示す爪部４２と同様の爪部４２ａを突条部４１に複数設ける構成としてもよい。この場合、複数の爪部４２ａを均等に配置することが好ましい。例えば、図２（ａ）に示すように、爪部４２ａを４箇所に設ける場合は、各爪部４２ａを突条部４１に均等に配置するとよい。また、一の爪部４２（４２ａ）によりラベルシート５を係止する面積は、任意に設定することができる。例えば、図２（ｂ）に示すように、突条部４１の外周縁に沿ってラベルシート５の外周縁の大部分を覆うような面積を有する爪部４２ｂを設ける構成としてもよい。但し、ラベルシート５の外周縁の大部分を覆うように爪部４２ｂを設ける場合は、ラベルシート５を効率よく貼付するという観点から、ラベルシート５を爪部４２ｂとレーベル面４との間の隙間に挿入するための挿入口４２ｃを設けることが好ましい。
【００１９】
以上説明した上記実施の形態によれば、光記録媒体１には、レーベル面４の外周縁を囲むように表面から突出して突条部４１が設けられ、この内側にラベルシート５を貼付することができるため、スロットイン方式のディスクドライブに光記録媒体１をロードまたはアンロードさせた場合でも、ラベルシート５の端部が突条部４１により保護されて挿入口等に接触することが防止することができる。そして、繰り返しロード／アンロードを行っても、光記録媒体１のレーベル面４に貼付されたラベルシート５を剥がれにくくすることができる。
また、爪部４２（４２ａ、４２ｂ）を突条部４１に設けることにより、経年変化により感圧接着層の接着力等が低下してラベルシート５が端部から剥がれてきた場合でも、ラベルシート５の浮き上がりを防止して、ラベルシート５がレーベル面４からさらに剥がれることを防止することができる。
【００２０】
但し、以上説明した実施の形態は本発明の一態様であり、本発明に係る記録媒体は上記実施の形態の光記録媒体１に限定されるものではないのは勿論である。
例えば、上記実施の形態では、突条部４１の内側に貼付されるラベルシート５を光記録媒体１と略同一形状の円盤状のものとしたが、突条部４１の内側に貼付されるラベルシート５の形状は円盤状に限定されるものではない。突条部４１をレーベル面４の外周縁に沿って設けることで、その内側に貼付されたラベルシート５の形状がどのような形状をしていても、またスロットイン方式のディスクドライブに光記録媒体１をロード／アンロードさせても、挿入口等にラベルシート５の端部が直接接触するのを防止して、ラベルシート５を光記録媒体１の表面から剥がれにくくすることができる。
【００２１】
（変形例）
次に、上記実施の形態の変形例について説明する。
上記実施の形態では、光記録媒体１の外周縁に沿って突条部４１を設け、突条部４１の内側にラベルシート５を貼付する構成としたが、例えば、図３（ａ）に示すように、光記録媒体１のレーベル面４に矩形のラベルシート５ａが貼付される場合には、このラベルシート５ａと略同一形状の凹部４ａを形成し、この凹部４ａに矩形のラベルシート５ａを貼付する構成としてもよい。すなわち、凹部４ａによりラベル貼付位置を構成することができる。同様に、図３（ｂ）に示すように、光記録媒体１のレーベル面４に、「たる型」等と称される形状のラベルシート５ｂが貼付される場合には、このラベルシート５ｂと略同一の形状を有する凹部４ｂを形成し、この凹部４ｂにラベルシート５ｂを貼付する構成としてもよい。なお、「たる型」形状とは、円盤状のラベルシート５を接線に平行で、かつ、互いに平行な２本の線により切り欠いた形状を指す。但し、レーベル面４に貼付されるラベルシート５ａ、５ｂの形状は任意の構成とすることができ、これらのラベルシート５ａ、５ｂの形状と略同一の形状の凹部４ａ、４ｂを形成することができる。凹部４ａ、４ｂの深さは、ラベルシート５ａ、５ｂの厚みと略同一であることが好ましい。また、図１、図２に示す爪部４２（４２ａ、４２ｂ）と同様に、ラベルシート５ａ、５ｂの上面を少なくとも一箇所において覆う爪部４２ｄを凹部４ａ、４ｂの縁に設けてもよい。爪部４２ｄを凹部４ａ、５ｂの縁に設けることで、ラベルシート５ａ、５ｂの接着力の低下等による端部の浮き上がりを防止することができる。
【００２２】
このように、光記録媒体１のレーベル面４に、貼付されるラベルシート５ａ、５ｂと略同一の形状の凹部４ａ、４ｂを形成し、この凹部４ａ、４ｂにラベルシート５ａ、５ｂを貼付することで、スロットイン方式のディスクドライブに光記録媒体１をロード、アンロードさせた場合でも、挿入口等にラベルシート５ａ、５ｂの端部が直接接触することを防止でき、光記録媒体１のレーベル面４に貼付されたラベルシート５ａ、５ｂが剥がれやすくなることを防止できる。
【図面の簡単な説明】
【００２３】
【図１】本発明の実施の形態の記録媒体を示す側断面図（ａ）と、平面図（ｂ）である。
【図２】本発明の実施の形態の記録媒体の他の例を示す平面図（ａ）、（ｂ）である。
【図３】本発明の実施の形態の記録媒体の変形例を示す平面図（ａ）、（ｂ）である。
【図４】従来の記録媒体を示す側面図である。
【符号の説明】
【００２４】
１…光記録媒体（記録媒体）、４ａ（４ｂ）…凹部、５（５ａ、５ｂ）…ラベルシート、４１…突条部、４２（４２ａ、４２ｂ、４２ｄ）…爪部。
【図１】
2008071446.tif 000003
【図２】
2008071446.tif 000004
【図３】
2008071446.tif 000005
【図４】
2008071446.tif 000006